【手続補正書】
【提出日】平成29年9月26日(2017.9.26)
【手続補正１】
【補正対象書類名】特許請求の範囲
【補正対象項目名】全文
【補正方法】変更
【補正の内容】
【特許請求の範囲】
【請求項１】
物品の正規の判定に用いられる読取対象物に係る識別情報と、前記読取対象物に係る識別情報の読取履歴とを記憶する記憶手段と通信可能な情報処理装置であって、
読取端末で読み取られた読取対象物に係る識別情報を受信する識別情報受信手段と、
前記識別情報受信手段により受信した識別情報が前記記憶手段に登録されている場合に、前記読取履歴に基づき、当該識別情報の読取数に係る条件を満たすか否かを判定する読取数判定手段と、
前記読取数判定手段により、前記条件を満たすと判定した場合には、非正規の物品の可能性ありを示す読取結果情報を送信し、前記条件を満たさないと判定した場合には、正規の物品を示す読取結果情報を送信する読取結果情報送信手段と
を備えることを特徴とする情報処理装置。
【請求項２】
前記読取履歴に基づいて、異なる場所で前記読取対象物が読み取られているか否かを判定する場所判定手段を更に備え、
前記読取結果情報送信手段は、前記条件を満たさず、前記場所判定手段により異なる場所で前記読取対象物が読み取られていると判定された場合に、非正規の物品の可能性ありを示す読取結果情報を送信することを特徴とする請求項１に記載の情報処理装置。
【請求項３】
前記読取結果情報送信手段は、前記条件を満たす場合であっても、前記場所判定手段により、異なる場所で前記読取対象物が読み取られていないと判定された場合に、正規の物品を示す読取結果情報を送信することを特徴とする請求項２に記載の情報処理装置。
【請求項４】
前記読取履歴に基づいて、前記識別情報受信手段により受信した識別情報が同じ読取端末で読み取られたか否かを判定する端末判定手段を更に備え、
前記読取結果情報送信手段は、前記端末判定手段により、前記識別情報が同じ読取端末で読み取られたと判定した場合に、正規の物品を示す読取結果情報を送信し、
前記端末判定手段により、前記識別情報が同じ読取端末で読み取られていないと判定した場合であって、前記読取数判定手段により、前記条件を満たすと判定した場合には、非正規の物品の可能性ありを示す読取結果情報を送信することを特徴とする請求項１乃至３のいずれか１項に記載の情報処理装置。
【請求項５】
前記読取結果情報送信手段は、前記識別情報受信手段により受信した識別情報が前記記憶手段に登録されていない場合に、非正規の物品であることを示す読取結果情報を送信し、
前記読取端末から、前記読取結果情報を基にして入力される前記物品の購入場所の情報である購入場所情報を受信する購入場所情報受信手段と、
前記購入場所情報受信手段により受信した前記購入場所情報を登録する登録手段と
を更に備えることを特徴とする請求項１乃至４のいずれか１項に記載の情報処理装置。
【請求項６】
前記条件を入力可能な設定画面をクライアント端末に送信する設定画面送信手段と
前記設定画面で入力された条件をシステム利用者の設定情報として管理する管理手段と
を更に備え、
前記読取数判定手段は、前記識別情報受信手段により受信した識別情報に対応する前記設定情報に基づいて、前記識別情報の読取数に係る条件を満たすか否かを判定することを特徴とする請求項１乃至５のいずれか１項に記載の情報処理装置。
【請求項７】
前記読取対象物は、ＲＦＩＤ情報を読み取り可能な媒体、又は、二次元コード情報を読み取り可能な媒体であることを特徴とする請求項１乃至６のいずれか１項に記載の情報処理装置。
【請求項８】
物品の正規の判定に用いられる読取対象物に係る識別情報と、前記読取対象物に係る識別情報の読取履歴とを記憶する記憶手段と通信可能な情報処理装置と、読取端末と、を含む情報処理システムであって、
前記読取端末は、
前記読取対象物を読み取る読取手段と、
前記読取手段により読み取られた前記読取対象物に係る識別情報を前記情報処理装置に送信する識別情報送信手段と、
前記識別情報送信手段により送信した識別情報に従って、非正規の物品の可能性ありを示す読取結果情報、又は、正規の物品を示す読取結果情報を受信する読取結果情報受信手段と
を備え、
前記情報処理装置は、
読取端末で読み取られた読取対象物に係る識別情報を受信する識別情報受信手段と、
前記識別情報受信手段により受信した識別情報が前記記憶手段に登録されている場合に、前記読取履歴に基づき、当該識別情報の読取数に係る条件を満たすか否かを判定する読取数判定手段と、
読取数判定手段により、前記条件を満たすと判定した場合には、非正規の物品の可能性ありを示す読取結果情報を送信し、前記条件を満たさないと判定した場合には、正規の物品を示す読取結果情報を送信する読取結果情報送信手段と
を備えることを特徴とする情報処理システム。
【請求項９】
物品の正規の判定に用いられる読取対象物に係る識別情報と、前記読取対象物に係る識別情報の読取履歴とを記憶する記憶手段と通信可能な情報処理装置の処理方法であって、
読取端末で読み取られた読取対象物に係る識別情報を受信する識別情報受信工程と、
前記識別情報受信工程で受信した識別情報が前記記憶手段に登録されている場合に、前記読取履歴に基づき、当該識別情報の読取数に係る条件を満たすか否かを判定する読取数判定工程と、
前記読取数判定工程で前記条件を満たすと判定した場合には、非正規の物品の可能性ありを示す読取結果情報を送信し、前記条件を満たさないと判定した場合には、正規の物品を示す読取結果情報を送信する読取結果情報送信工程と
を含むことを特徴とする処理方法。
【請求項１０】
物品の正規の判定に用いられる読取対象物に係る識別情報と、前記読取対象物に係る識別情報の読取履歴とを記憶する記憶手段と通信可能な情報処理装置と、読取端末と、を含む情報処理システムの処理方法であって、
前記読取端末により、
前記読取対象物を読み取る読取工程と、
前記読取工程で読み取られた前記読取対象物に係る識別情報を前記情報処理装置に送信する識別情報送信工程と、
前記識別情報送信工程で送信した識別情報に従って、非正規の物品の可能性ありを示す読取結果情報、又は、正規の物品を示す読取結果情報を受信する読取結果情報受信工程とを実行させ、
前記情報処理装置より、
読取端末で読み取られた読取対象物に係る識別情報を受信する識別情報受信工程と、
前記識別情報受信工程で受信した識別情報が前記記憶手段に登録されている場合に、前記読取履歴に基づき、当該識別情報の読取数に係る条件を満たすか否かを判定する読取数判定工程と、
前記読取数判定工程で前記条件を満たすと判定した場合には、非正規の物品の可能性ありを示す読取結果情報を送信し、前記条件を満たさないと判定した場合には、正規の物品を示す読取結果情報を送信する読取結果情報送信工程と
を実行させることを特徴とする処理方法。
【請求項１１】
物品の正規の判定に用いられる読取対象物に係る識別情報と、前記読取対象物に係る識別情報の読取履歴とを記憶する記憶手段と通信可能な情報処理装置のプログラムであって、
前記情報処理装置を、
読取端末で読み取られた読取対象物に係る識別情報を受信する識別情報受信手段と、
前記識別情報受信手段により受信した識別情報が前記記憶手段に登録されている場合に、前記読取履歴に基づき、当該識別情報の読取数に係る条件を満たすか否かを判定する読取数判定手段と、
前記読取数判定手段により、前記条件を満たすと判定した場合には、非正規の物品の可能性ありを示す読取結果情報を送信し、前記条件を満たさないと判定した場合には、正規の物品を示す読取結果情報を送信する読取結果情報送信手段
として機能させるためのプログラム。
【請求項１２】
読取端末で読み取られた読取対象物に係る識別情報を受信する識別情報受信手段と、前記識別情報受信手段により受信した識別情報が記憶手段に登録されている場合に、読取履歴に基づき、当該識別情報の読取数に係る条件を満たすか否かを判定する読取数判定手段と、前記読取数判定手段により、前記条件を満たすと判定した場合には、非正規の物品の可能性ありを示す読取結果情報を送信し、前記条件を満たさないと判定した場合には、正規の物品を示す読取結果情報を送信する読取結果情報送信手段とを備える情報処理装置と通信可能な読取端末のプログラムであって、
前記読取端末を、
前記読取対象物を読み取る読取手段と、
前記読取手段により読み取られた前記読取対象物に係る識別情報を前記情報処理装置に送信する識別情報送信手段と、
前記識別情報送信手段により送信した識別情報に従って、非正規の物品の可能性ありを示す読取結果情報、又は、正規の物品を示す読取結果情報を受信する読取結果情報受信手段
として機能させるためのプログラム。